(57)【要約】【課題】枚葉紙群から所定の間隔をあけていなくても、枚葉紙群に対して相対的に移動させることができる枚葉紙搬送板、及び該枚葉紙搬送板を備える枚葉紙搬送装置を提供することを課題とする。【解決手段】  枚葉紙Ｔを載置可能な第一面及び該第一面とは反対側の第二面を有する板状の搬送板本体２０と、該第一面上に載置された枚葉紙Ｔを移動可能な状態にすべく送風機６からの風を該第一面に導出可能で、且つ送風機からの風を前記搬送板本体２０の第二面に導出可能な送風経路２３とを備えることを特徴とする枚葉紙搬送板２。【選択図】図１
2013216431.tif 000002
【特許請求の範囲】
【請求項１】
枚葉紙を載置可能な第一面及び該第一面とは反対側の第二面を有する板状の搬送板本体と、該第一面上に載置された枚葉紙を移動可能な状態にすべく送風機からの風を該第一面に導出可能で、且つ送風機からの風を前記搬送板本体の第二面に導出可能な送風経路とを備えることを特徴とする枚葉紙搬送板。
【請求項２】
送風経路は、送風機からの風を搬送板本体の第一面に導出可能な第一送風経路と、送風機からの風を搬送板本体の第二面に導出可能な第二送風経路とを備えることを特徴とする請求項１に記載の枚葉紙搬送板。
【請求項３】
ベース上に設けられる請求項１又は２に記載の枚葉紙搬送板と、枚葉紙搬送板を一方向に案内するための案内機構と、枚葉紙搬送板に動力を伝達する駆動力伝達機構と、搬送板本体の送風経路に風を送るための送風機とを備えることを特徴とする枚葉紙搬送装置。
【発明の詳細な説明】
【技術分野】
【０００１】
本発明は、積み重ねられた枚葉紙をスライド可能な状態にするための枚葉紙搬送板、及び該枚葉紙搬送板を備える枚葉紙搬送装置に関する。
【背景技術】
【０００２】
従来から、積み上げられた枚葉紙（以下、枚葉紙群とする）の上部側から一束の枚葉紙を取り出す取出作業や、枚葉紙群の上に一束の枚葉紙を積み重ねる積上作業が行われることがある。このような作業では、一束の枚葉紙をスライドさせることによって、該枚葉紙を所定の位置に移動させることがある。そのため、上述の取出作業や、積上作業では、一束の枚葉紙をスライド可能な状態にするための枚葉紙搬送板が用いられている。
【０００３】
図１０に示すように、枚葉紙搬送板９には、枚葉紙を載置可能な第一面９０ａと該第一面９０ａとは反対側の第二面を有する搬送板本体９０と、該搬送板本体９０の第一面９０ａ上に載置された枚葉紙を移動可能な状態にすべく送風機からの風を搬送板本体９０の第一面９０ａに導出可能な送風経路９１とを備えているものがある（例えば、特許文献１参照）。
【０００４】
上述の枚葉紙搬送板９を用いて取出作業を行う場合、図１１（ａ）に示すように、枚葉紙群Ｗから取り出す対象となる一束の枚葉紙Ｔが持ち上げられる。そして、図１１（ｂ）に示すように、第一面９０ａ上に送風機からの風を導出している状態で、搬送板本体９０を一束の枚葉紙Ｔの下方に移動させる。このようにした後に、搬送板本体９０の第一面９０ａ上の一束の枚葉紙Ｔをスライドさせることによって、該枚葉紙Ｔを所望の場所に移動させている。
【０００５】
また、この種の枚葉紙搬送板９を用いて積上作業を行う場合、図１２（ａ）に示すように、枚葉紙群Ｗの上に枚葉紙搬送板９を移動させる。そして、図１２（ｂ）に示すように、第一面９０ａ上に送風機からの風を導出している状態で、搬送板本体９０上に（搬送板本体９０の第一面９０ａ上に）一束の枚葉紙Ｔを移動させる。そして、搬送板本体９０を一束の枚葉紙Ｔに対して相対的に移動させる。これにより、図１２（ｃ）に示すように、搬送板本体９０の第一面９０に載せられていた一束の枚葉紙Ｔが枚葉紙群Ｗの上部に積み重ねられる。
【先行技術文献】
【特許文献】
【０００６】
【特許文献１】特開平９−１２２０２号公報
【発明の概要】
【発明が解決しようとする課題】
【０００７】
ところで、上述の枚葉紙搬送板９は、搬送板本体９０が移動する際に、搬送板本体９０の第二面が枚葉紙群Ｗに接触すると、枚葉紙群Ｗのうちの上部側の枚葉紙が搬送板本体９０に引きずられてしまうことになる。そのため、枚葉紙搬送装置９では、搬送板本体９０の第二面と枚葉紙群Ｗとの間に所定の間隔Ｄをあけた状態で取出作業や、積上作業を行う必要がある。
【０００８】
このようなことから、枚葉紙搬送板９では、搬送板本体９０の第一面９０ａ上に一束の枚葉紙Ｔを載せたときに、該搬送板本体９０が撓むことを防止することが必要となるため、面直交方向における寸法（厚み）が大きくなる。さらに、枚葉紙搬送板９を用いて取出作業や、積上作業を行う場合、枚葉紙群Ｗとの間に所定の間隔Ｄをあけるべく、枚葉紙搬送板９を支持する支持構造が必要となる。
【０００９】
支持構造は、搬送板本体９０の第一面９０ａ上に枚葉紙が載置されても、搬送板本体９０の第二面と枚葉紙群Ｗとの間に所定の間隔Ｄをあけた状態で該搬送板本体９０を支持することが求められる。そのため、枚葉紙搬送板９を導入するには、大型の支持構造が必要となる。従って、枚葉紙搬送板９及び支持構造を設置するためのスペースを確保することが困難な場合、該枚葉紙搬送板９を容易に導入することができないことがある。
【００１０】
また、枚葉紙搬送板９を備える枚葉紙搬送装置においても上述のような支持構造が必要となり、装置が大型になる。従って、枚葉紙搬送板９を備える枚葉紙搬送装置においても、設置するためのスペースを確保することが困難な場合、該枚葉紙搬送装置を容易に導入できないことがある。
【００１１】
そこで、本発明は、かかる実情に鑑み、枚葉紙群から所定の間隔をあけていなくても、枚葉紙群に対して相対的に移動させることができる枚葉紙搬送板、及び該枚葉紙搬送板を備える枚葉紙搬送装置を提供することを課題とする。
【課題を解決するための手段】
【００１２】
本発明に係る枚葉紙搬送板は、枚葉紙を載置可能な第一面及び該第一面とは反対側の第二面を有する板状の搬送板本体と、該第一面上に載置された枚葉紙を移動可能な状態にすべく送風機からの風を該第一面に導出可能で、且つ送風機からの風を前記搬送板本体の第二面に導出可能な送風経路とを備えることを特徴とする。
【００１３】
上記構成の枚葉紙搬送板によれば、搬送板本体の第一面に加えて搬送板本体の第二面からも送風機からの風を導出できるようになっている。そのため、積み上げられた枚葉紙（以下、枚葉紙群とする）の上部側から一束の枚葉紙を取り出すべく、枚葉紙群に対して搬送板本体が差し込まれたときに、搬送板本体の第一面と一束の枚葉紙とが接触する面積、及び搬送板本体の第二面と枚葉紙群とが接触する面積を小さくすることができる。
【００１４】
そのため、上記構成の枚葉紙搬送板では、搬送板本体が該搬送板本体の第二面よりも下側の枚葉紙群に荷重を作用させた状態で、該搬送板本体が枚葉紙群に対して差し込むことができる。すなわち、上記構成の枚葉紙搬送板では、搬送板本体を該搬送板本体の第二面よりも下側の枚葉紙に支持させながら枚葉紙群に差し込むことができる。
【００１５】
そして、上記構成の枚葉紙搬送板によれば、枚葉紙群の上に一束の枚葉紙を積み重ねるにあたり、搬送板本体を枚葉紙群の上に移動させる場合においても、搬送板本体を枚葉紙群に支持させながら移動させることができる。そして、上記構成の枚葉紙搬送板によれば、搬送板本体の第一面上に一束の枚葉紙が載せられた後に枚葉紙群と該一束の枚葉紙との間から搬送板本体を引き抜く場合においても、搬送板本体を枚葉紙群に支持させながら移動させることができる。
【００１６】
この場合、送風経路は、送風機からの風を搬送板本体の第一面に導出可能な第一送風経路と、送風機からの風を搬送板本体の第二面に導出可能な第二送風経路とを備えるようにしてもよい。このようにすれば、枚葉紙搬送板は、送風機からの風を搬送板本体の第一面及び搬送板本体の第二面の少なくとも何れか一方に導出することができる。すなわち、枚葉紙搬送板は、送風機からの風を搬送板本体の第一面及び搬送板本体の第二面に導出している状態と、送風機からの風を搬送板本体の第一面又は搬送板本体の第二面に導出している状態とに切り替えることができる。
【００１７】
そのため、上記構成の枚葉紙搬送板は、搬送板本体が枚葉紙群上に位置しているときに、送風機からの風を搬送板本体の第一面のみに導出している状態にすると、該搬送板本体が枚葉紙群上から位置ずれすることを防止できる。
【００１８】
本発明に係る枚葉紙搬送装置は、ベース上に設けられる上記何れかの枚葉紙搬送板と、該枚葉紙搬送板を一方向に案内するための案内機構と、前記枚葉紙搬送板に動力を伝達する駆動力伝達機構と、送風経路に風を送るための送風機とを備えることを特徴とする。
【００１９】
上記構成の枚葉紙搬送装置においても、積み上げられた枚葉紙（以下、枚葉紙群とする）の上部側から一束の枚葉紙を取り出すべく、枚葉紙群に対する搬送板本体の差し込みを行うときに、搬送板本体の第一面と枚葉紙群とが接触する面積、及び搬送板本体の第二面と枚葉紙群とが接触する面積を小さくすることができる。
【００２０】
そのため、上記構成の枚葉紙搬送装置では、搬送板本体の荷重を該搬送板本体の第二面よりも下側の枚葉紙に作用させた状態で、枚葉紙群に対する搬送板本体の差し込みを行うことができる。すなわち、上記構成の枚葉紙搬送装置は、搬送板本体を該搬送板本体の第二面よりも下側の枚葉紙に支持させながら、該搬送板本体を枚葉紙群に差し込むことができる。
【００２１】
また、上記構成の枚葉紙搬送装置では、枚葉紙群の上に一束の枚葉紙を積み重ねるべく、搬送板本体を枚葉紙群の上に移動させる場合、搬送板本体を該搬送板本体の第二面よりも下側の枚葉紙に支持させながら移動させることができる。そして、上記構成の枚葉紙搬送装置では、搬送板本体の第一面上に一束の枚葉紙が載せられた後に枚葉紙群と該一束の枚葉紙との間から搬送板本体を引き抜く場合においても、搬送板本体を枚葉紙群に支持させながら一束の枚葉紙と枚葉紙群との間から引き抜くことができる。
【発明の効果】
【００２２】
以上のように、本発明に係る枚葉紙搬送板、及び該枚葉紙搬送板を備える枚葉紙搬送装置によれば、枚葉紙群から所定の間隔をあけていなくても、枚葉紙群に対して相対的に移動させることができるという優れた効果を奏し得る。
【図面の簡単な説明】
【００２３】
【図１】本発明の一実施形態に係る枚葉紙搬送装置の斜視図を示す
【図２】同実施形態に係る枚葉紙搬送装置のＸ矢視図を示す。
【図３】同実施形態に係る枚葉紙搬送装置のＹ矢視図を示す。
【図４】同実施形態に係る枚葉紙搬送装置のＺ矢視図を示す。
【図５】同実施形態に係る枚葉紙搬送板の中板の平面図を示す。
【図６】同実施形態に係る枚葉紙搬送板の第一外板の平面図を示す。
【図７】同実施形態に係る枚葉紙搬送板の第二外板の平面図を示す。
【図８】同実施形態に係る枚葉紙搬送装置を用いた取出作業の説明図であって、（ａ）は、枚葉紙群と該枚葉紙群から取り出す対象となる一束の枚葉紙との間に枚葉紙搬送板を差し込む前の状態を示し、（ｂ）は、枚葉紙群と一束の枚葉紙との間に枚葉紙搬送板を差し込んだ状態を示す。
【図９】同実施形態に係る枚葉紙搬送装置を用いた積上作業の説明図であって、（ａ）は、枚葉紙群上に枚葉紙搬送板を配置した状態を示し、（ｂ）は、枚葉紙搬送板の上に一束の枚葉紙を載せた状態を示し、（ｃ）は、枚葉紙群と一束の枚葉紙との間から枚葉紙搬送板を引き抜いた状態を示す。
【図１０】従来の枚葉紙搬送板の平面図を示す。
【図１１】従来の枚葉紙搬送板を用いた取出作業の説明図であって、（ａ）は、枚葉紙群と該枚葉紙群から取り出す対象となる一束の枚葉紙との間に枚葉紙搬送板を差し込む前の状態を示し、（ｂ）は、枚葉紙群と一束の枚葉紙との間に枚葉紙搬送板を差し込んだ状態を示す。
【図１２】従来の枚葉紙搬送板を用いた積上作業の説明図であって、（ａ）は、枚葉紙群上に移動させた枚葉紙搬送板上に一束の枚葉紙を載せた状態を示し、（ｂ）は、枚葉紙群と該枚葉紙群上に積み上げる対象となる枚葉紙との間から枚葉紙搬送板を引き抜いている途中の状態を示し、（ｃ）は、枚葉紙群と該枚葉紙群上に積み上げる対象となる枚葉紙との間から枚葉紙搬送板を完全に引き抜いた状態を示す。
【発明を実施するための形態】
【００２４】
以下、本発明の一実施形態について添付図面を参照しつつ説明する。
【００２５】
図１に示すように、枚葉紙搬送装置１は、ベース３上に設けられる枚葉紙搬送板２と、枚葉紙搬送板２を一方向（以下、第一方向とする）に案内するための案内機構４（図３参照）と、枚葉紙搬送板２に駆動力を伝達する駆動力伝達機構５と、枚葉紙搬送板２に対して風を送るための送風機６（図３参照）とを備える。また、枚葉紙搬送装置１は、枚葉紙搬送板２上に移された枚葉紙の移動を規制するためのストッパーＳを備えている。そして、枚葉紙搬送装置１は、駆動力伝達機構５及び送風機６の配線系を保持する保持機構Ｋとを備えている。なお、本実施形態に係る枚葉紙搬送装置１は、作業者が操作するための操作部ＣＰがベース３に設けられている。
【００２６】
図５乃至図７に示すように、枚葉紙搬送板２は、枚葉紙を載置可能な第一面及び該第一面とは反対側の第二面を有する板状の搬送板本体２０を備えている。なお、本実施形態では、搬送板本体２０の厚みが４ｍｍ程度に設定されている。
【００２７】
搬送板本体２０は、一方向（以下、枚葉紙搬送板２の第一方向とする）に第一端と、該第一端とは反対側の第二端とを有する。そして、搬送板本体２０の第一端は、搬送板本体２０の第二端に対して傾斜している。すなわち、搬送板本体２０の第一端は、搬送板本体２０の第二端が延びる方向と交差する方向に延びている。
【００２８】
より具体的に説明すると、搬送板本体２０は、面直交方向で第一面と該第一面とは反対側の第二面とを有する中板２００と、該中板２００の第一面に設けられる第一外板２１０と、該中板２００の第二面に設けられる第二外板２２０とを備える。
【００２９】
図５に示すように、中板２００は、一方向で第一端と該第一端とは反対側の第二端とをさらに有する。中板２００の第一端は、中板２００の第二端に対して傾斜している。すなわち、中板２００の第一端は、中板２００の第二端が延びる方向と交差する方向に延びている。中板２００の第一端側の端部は、面直交方向において先細りになっている。
【００３０】
中板２００には、枚葉紙搬送板２の第一端と枚葉紙搬送板２の第二端とが並ぶ方向（以下、枚葉紙搬送板２の第一方向とする）で真っ直ぐに延びる複数の第一送風路２０１，２０１…と、枚葉紙搬送板２の第一方向で真っ直ぐに延びる複数の第二送風路２０２，２０２…とが形成されている。第一送風路２０１と第二送風路２０２とのそれぞれは、枚葉紙搬送板２の第一方向と直交する方向（以下、枚葉紙搬送板２の第二方向とする）で交互に並ぶように設けられている。
【００３１】
図６に示すように、第一外板２１０の外形は、中板２００と同一又は略同一に設定されている。より具体的に説明すると、第一外板２１０は、面直交方向で第一面と該第一面とは反対側の第二面とを有する。また、第一外板２１０は、枚葉紙搬送板２の第一方向で第一端と該第一端とは反対側の第二端とを有する。第一外板２１０の第一面は、中板２００の第一面と当接している。そのため、枚葉紙搬送板２では、第一外板２１０の第二面上に枚葉紙が載置されるようになっている。
【００３２】
第一外板２１０の第一端は、第一外板２１０の第二端に対して傾斜している。すなわち、第一外板２１０の第一端は、第一外板２１０の第二端が延びる方向と交差する方向に延びている。第一外板２１０の第一端側は、中板２００の第一端側の形状に沿って湾曲している。すなわち、第一外板２１０の第一端側は、中板２００側に湾曲している。
【００３３】
第一外板２１０には、複数の第一送風路２０１，２０１…と対応する位置のそれぞれに第一送風孔２１１が設けられている。より具体的に説明すると、第一外板２１０における複数の第一送風路２０１，２０１…と対応する位置のそれぞれには、一対一組の第一送風孔２１１，２１１が設けられている。一組の第一送風孔２１１，２１１のそれぞれは、隣り合う一組の第一送風孔２１１，２１１のそれぞれに対して枚葉紙搬送板２の第一方向で位置ずれしている。
【００３４】
図７に示すように、第二外板２２０の外形は、中板２００と同一又は略同一に設定されている。より具体的に説明すると、第二外板２２０は、面直交方向で第一面と該第一面とは反対側の第二面とを有する。また、第二外板２２０は、枚葉紙搬送板２の第一方向で第一端と該第一端とは反対側の第二端とを有する。第二外板２２０の第一面は、中板２００の第一面と当接している。そのため、枚葉紙搬送板２では、第二外板２２０の第二面が第一外板２１０の第二面とは反対側の面となる。
【００３５】
第二外板２２０の第一端は、第二外板２２０の第二端に対して傾斜している。すなわち、第二外板２２０の第一端は、第二外板２２０の第二端が延びる方向と交差する方向に延びている。第二外板２２０の第一端側は、中板２００の第一端側の形状に沿って湾曲している。すなわち、第二外板２２０の第一端側は、中板２００側に湾曲している。これにより、搬送板本体２０の第一端側の端部は、面直交方向において先細りになっている。
【００３６】
第二外板２２０には、複数の第二送風路２０２，２０２…と対応する位置のそれぞれに第二送風孔２２１が設けられている。また、第二外板２２０には、複数の第一送風路２０１，２０１…と対応する位置のそれぞれに第一流入孔２２２が設けられている。さらに、第二外板２２０には、複数の第二送風路２０２，２０２…と対応する位置のそれぞれに第二流入孔２２３が設けられている。
【００３７】
より具体的に説明すると、第二外板２２０における複数の第二送風路２０２，２０２…と対応する位置のそれぞれには、一対一組の第二送風孔２２１，２２１が設けられている。一組の第二送風孔２２１，２２１のそれぞれは、隣り合う一組の第二送風孔２２１，２２１のそれぞれに対して枚葉紙搬送板２の第一方向で位置ずれしている。
【００３８】
複数の第一流入孔２２２，２２２…のそれぞれは、枚葉紙搬送板２の第二方向で並んでいる。複数の第二流入孔２２３，２２３…のそれぞれは、枚葉紙搬送板２の第二方向で並んでいる。また、複数の第二流入孔２２３，２２３…のそれぞれは、複数の第一流入孔２２２，２２２…のそれぞれよりも、第二外板２２０の第一端側に設けられている。
【００３９】
さらに、枚葉紙搬送板２は、搬送板本体２０の第一面（第一外板２１０の第二面）上に載置された枚葉紙を移動可能な状態にすべく送風機からの風を該第一面に導出可能、且つ送風機からの風を前記枚葉紙搬送板２の第二面に導出可能な送風経路２３を備えている。より具体的に説明すると、送風経路２３は、送風機からの風を搬送板本体２０の第一面に導く第一送風経路２３０と、送風機からの風を搬送板本体２０の第二面（第二外板２２０の第二面）に導く第二送風経路２３１とを備えている。
【００４０】
第一送風経路２３０は、上述の中板２００の第一送風路２０１、第一外板２１０の第一送風孔２１１、第二外板２２０の第一流入孔２２２に加えて、送風機からの風を該第一流入孔２２２に導く第一接続部２３０ａによって構成されている。
【００４１】
第一接続部２３０ａは、一つの面に開口部２３０ｂを有する外観箱状に形成されている。また、第一接続部２３０ａには、送風機からの風を該第一接続部内に導く第一接続孔２３０ｃが設けられている。
【００４２】
第一接続部２３０ａの開口部２３０ｂを画定する部分（開口端部）は、第二外板２２０の第二面に設けられる。また、第一接続部２３０ａの開口部２３０ｂを画定する部分は、第二外板２２０の第二面に設けられた状態において、複数の第一流入孔２２２，２２２…のそれぞれを取り囲むようになっている。そのため、枚葉紙搬送板２では、送風機からの風が第一接続部２３０ａの第一接続孔２３０ｃから該第一接続部２３０ａ内に入り込むと、該風が第二外板２２０の第一流入孔２２２、中板２００の第一送風路２０１、第一外板２１０の第一送風孔２１１を通って第一外板２１０の第二面に導出される。
【００４３】
第二送風経路２３１は、上述の第二外板２２０の第二送風孔２２１、第二外板２２０の第二流入孔２２３に加えて、送風機からの風を該第二流入孔２２３に導く第二接続部２３１ａによって構成されている。
【００４４】
第二接続部２３１ａは、一つの面に開口部２３１ｂを有する外観箱状に形成されている。また、第二接続部２３１ａには、送風機からの風を該第二接続部２３１ａ内に導く第二接続孔２３１ｃが設けられている。
【００４５】
第二接続部２３１ａの開口部２３１ｂを画定する部分は、第二外板２２０の第二面に設けられる。また、第二接続部２３１ａの開口部２３１ｂを画定する部分（開口端部）は、第二外板２２０の第二面に設けられた状態において、第二流入孔２２３のそれぞれを取り囲むようになっている。そのため、枚葉紙搬送板２では、送風機からの風が第二接続部２３１ａの第二接続孔２３１ｃから該第二接続部２３１ａ内に入り込むと、該風が第二外板２２０の第二流入孔２２３、中板２００の第二送風路２０２、第二外板２２０の第二送風孔２２１を通って第二外板２２０の第二面に導出される。
【００４６】
図１に戻り、ベース３は、平面視矩形状のアッパーフレーム３０と、平面視矩形状に形成され、該アッパーフレーム３０と対向するアンダーフレーム３１と、アッパーフレーム３０とアンダーフレーム３１とをつなぐミドルフレーム３２とを備えている。また、ベース３は、前記枚葉紙搬送板２に設けられるサブフレーム３３を備えている（図３参照）。さらに、ベース３は、アンダーフレーム３１に設けられた複数（本実施形態では、四つ）の脚部材３４，３４…を備えている。
【００４７】
アッパーフレーム３０は、第一方向で第一辺と該第一辺とは反対側の第二辺とを有する。また、アッパーフレーム３０は、第一方向と直交する方向（以下、第二方向とする）で第三辺と、該第三辺とは反対側の第四辺とを有する。
【００４８】
アンダーフレーム３１は、第一方向で第一辺と該第一辺とは反対側の第二辺とを有する。また、アンダーフレーム３１は、第二方向で第三辺と、該第三辺とは反対側の第四辺とを有する。図２及び図３に示すように、アンダーフレーム３１におけるアッパーフレーム３０と対向する部分とは反対側の部分には、複数のねじ穴３１０，３１０…が設けられている。ねじ穴３１０は、アンダーフレーム３１の角部（第一辺、第二辺、第三辺、第四辺が交わりあう部分のそれぞれ）に設けられている。すなわち、ねじ穴３１０は、アンダーフレーム３１の四隅のそれぞれに設けられている。サブフレーム３３は、案内機構４の後述する連結板４４に設けられている（図３参照）。
【００４９】
四つの脚部材３４，３４…のそれぞれは、軸心方向で第一端及び該第一端とは反対側の第二端を有する支軸部３４０と、該支軸部３４０の第一端に設けられる脚部本体３４１とを備えている。支軸部３４０の第二端側には、ねじ山が形成されている。そして、支軸部３４０の第二端側は、アンダーフレーム３１に設けられたねじ穴３１０に螺合されている。
【００５０】
これにより、四つの脚部材３４，３４…のそれぞれは、アンダーフレーム３１におけるアッパーフレーム３０と対向する側の反対側から延出するようになっている。また、四つの脚部材３４，３４…のそれぞれは、支軸部３４０の軸心周りで回転させることでアンダーフレーム３１から延出する量を調整できるようになっている。すなわち、ベース３では、四つの支軸部３４０のそれぞれの延出量（アンダーフレーム３１から延出する量）を調整することで、ベース３の高さを調整できるようになっている。
【００５１】
図３に示すように、案内機構４は、アッパーフレーム３０の第三辺に設けられる第一ガイドレール４０によって案内される第一ガイド部材４１と、アッパーフレーム３０の第四辺に設けられる第二ガイドレール４２によって案内される第二ガイド部材４３と、第一ガイド部材４１と第二ガイド部材４３とに亘って設けられる連結板４４と、該連結板４４に設けられ、枚葉紙搬送板２を配置可能な配置部材４５とを備えている。
【００５２】
第一ガイドレール４０は、第一方向で真っ直ぐに延びる厚板で構成されている。第一ガイドレール４０は、長手方向と直交する方向で第一端と該第一端とは反対側の第二端とを有する。第一ガイドレール４０の第一端側は、アッパーフレーム３０の第三辺に設けられている。そのため、第一ガイドレール４０は、アッパーフレーム３０の第三辺から上方に延出した態様になっている。
【００５３】
第一ガイド部材４１は、第一ガイドレール４０の第二端に嵌合可能な嵌合溝４１０が設けられている。そのため、第一ガイド部材４１は、第一方向（第一ガイドレール４０が延びる方向）でスライド可能になっている。本実施形態では、第一方向で間隔をあけて二つの第一ガイド部材４１，４１…が設けられている（図４参照）。
【００５４】
第二ガイドレール４２は、第一方向で長手をなしている。第二ガイドレール４２には、第一方向に沿って延びる一対のレール溝４２０，４２０が設けられている。
【００５５】
第二ガイド部材４３は、第二ガイドレール４２のレール溝４２０，４２０のそれぞれに嵌合する一対の嵌合部４３０，４３０を有する。そのため、第二ガイド部材４３は、第一方向（第二ガイドレール４２が延びる方向）でスライド可能になっている。本実施形態では、第一方向で間隔をあけて二つの第二ガイド部材４３，４３が設けられている（図４参照）。
【００５６】
連結板４４は、長手をなす板状に形成されている。連結板４４は、長手方向で一端と該一端とは反対側の第二端とを有する。連結板４４の第一端側は、一対の第一ガイド部材４１，４１…のそれぞれに固定される。連結板４４の第二端側は、一対の第二ガイド部材のそれぞれが固定される。そのため、連結板４４は、二つの第一ガイド部材４１，４１のそれぞれの第一方向でのスライドと、二つの第二ガイド部材４３，４３の第一方向でのスライドとを連動させることができるようになっている。
【００５７】
配置部材４５は、連結板４４から起立する一対の配置板部４５０，４５０と、一対の配置板部４５０，４５０同士の間に配置され、枚葉紙搬送板２の第二外板２２０の第二面に設けられる一対の位置ずれ防止用板部４５１，４５１とを備えている。一方の配置板部４５０は、連結板４４の第一端側に設けられている。また、他方の配置板部４５０は、連結板４４の第二端側に設けられている。一対の位置ずれ防止用板部４５１，４５１のそれぞれは、第一方向における枚葉紙搬送板２の全長に亘って長手をなしている。また、一対の位置ずれ防止用板部４５１，４５１のそれぞれは、一対の配置板部４５０，４５０のそれぞれに当接している。すなわち、一対の配置板部４５０，４５０上には、枚葉紙搬送板２が載置されている。これにより、一対の配置板部４５０，４５０と枚葉紙搬送板２とが第一方向及び第二方向において相対移動してしまうことが防止されている。
【００５８】
図４に示すように、駆動力伝達機構５は、出力軸（採番しない）を有する駆動源（本実施形態では、モータ）５０と、該駆動源５０の出力軸に対して同心で設けられる第一プーリー５１と、該第一プーリー５１と第一方向で間隔をあけて設けられる第二プーリー５２と、第一プーリー５１と第二プーリー５２とに亘って設けられ、連結板４４に連結されるベルト部材５３とを備えている。
【００５９】
駆動源５０は、サブフレーム３３上に配置されている。第二プーリー５２は、アッパーフレーム３０の第一辺側に設けられている。また、第二プーリー５２は、第一方向での位置を調整可能に構成されている。すなわち、駆動力伝達機構５は、第一プーリー５１と、第二プーリー５２との間隔を調整可能になっている。
【００６０】
なお、図４には、図示していないが、本実施形態に係る第一プーリー５１及び第二プーリー５２は、厚みを有する円板状のベルト受部と、該ベルト受部よりも大径で形成され、該ベルト受部の軸心方向における一方側と他方側とのそれぞれに設けられる縁部とを備えている。ベルト受部の外周には、全周に亘って外歯が形成されている。
【００６１】
ベルト部材５３は、長尺に形成されている。また、ベルト部材５３は、長手方向で第一端と該第一端とは反対側の第二端とを有する。そして、ベルト部材５３は、面直交方向で第一面と、該第一面とは反対側の第二面とを有する。
【００６２】
なお、図４には、図示していないが、本実施形態に係るベルト部材５３の第一面には、長手方向における全長に亘って、ベルト受部の外歯に係合可能な内歯が形成されている。そして、ベルト部材５３は、第一面を第一プーリー５１の受部及び第二プーリー５２の受部のそれぞれに当接させた状態で、第一端と第二端とが直接的又は間接的に接続されるように構成されている。本実施形態では、ベルト部材５３の第一端とベルト部材５３の第二端とが連結板４４に接続されている。
【００６３】
そのため、駆動力伝達機構５では、駆動源５０の出力軸を軸心周りにおける一方向で回転させると、出力軸の軸心周りにおける一方向で第一プーリー５１が回転する。これに伴い、ベルト部材５３が一方向で回転し、連結板が第一方向における一方側（アッパーフレームの第二辺側からアッパーフレームの第一辺側）に移動する。これにより、枚葉紙搬送板２が第一方向における一方側に移動するようになっている。
【００６４】
また、駆動力伝達機構５では、駆動源５０の出力軸を軸心周りにおける他方向で回転させると、出力軸の軸心周りにおける他方向で第一プーリー５１が回転する。これに伴い、ベルト部材５３が他方向で回転し、連結板が第一方向における他方側（アッパーフレーム３０の第一辺側からアッパーフレーム３０の第二辺側）に移動する。これにより、枚葉紙搬送板２が第一方向における他方側に移動するようになっている。
【００６５】
ストッパーＳは、壁部材Ｓ１と、該壁部材Ｓ１の第一方向での位置及び第二方向での位置を決定するための位置決機構Ｓ２とを備えている。
【００６６】
壁部材Ｓ１は、第一当接面Ｓ１００を有する第一壁部Ｓ１０と、該第一壁部Ｓ１０の第一当接面Ｓ１００に直交する第二当接面Ｓ１１０を有する第二壁部Ｓ１１とを備えている（図１参照）。第一壁部Ｓ１０は、第一当接面Ｓ１００と直交する（枚葉紙搬送板２に対して平行な）取付面Ｓ１０１をさらに有する。そして、第一壁部Ｓ１０の取付面Ｓ１０１には、後述する一対の第二スライドバーＳ２１，Ｓ２１のそれぞれを固定する一対の取付部材Ｓ１０２，Ｓ１０２が設けられている。
【００６７】
位置決機構Ｓ２は、第一方向で長手をなす第一スライドバーＳ２０と、スライドバーＳ２０上に配置され、スライドバーＳ２０の長手方向と直交する方向で長手をなす一対の第二スライドバーＳ２１，Ｓ２１と、ベース３に設けられ、第一スライドバーＳ２０の第一方向での位置を決定するための一対の第一クランプＳ２２，Ｓ２２と、第一スライドバーＳ２０上に設けられ、一対の第二スライドバーＳ２１，Ｓ２１のそれぞれの第二方向での位置を決定するための一対の第二クランプＳ２３，Ｓ２３とを備える。
【００６８】
図２に示すように、保持機構Ｋは、駆動力伝達機構５及び送風機６の配線系Ｃを収容可能なドライブチェーンＫ１と、ベース３（ミドルフレーム３２）に設けられ、ドライブチェーンＫ１を受ける受部材Ｋ２とを備えている。
【００６９】
図４に示すように、送風機６は、第一送風経路２３０に対して送風を行う第一送風機６０と、第二送風経路２３１に対して送風を行う第二送風機６１とを備えている。第一送風機６０は、第一送風管６００を介して第一接続部２３０ａの第一接続孔２３０ｃに接続されている。また、第二送風機６１は、第二送風管６１０を介して第二接続部２３１ａの第二接続孔２３１ｃに接続されている。
【００７０】
本実施形態に係る枚葉紙搬送装置１は、以上の通りであり、続いて、枚葉紙搬送装置の動作について添付図面を参照しつつ説明する。なお、本実施形態において、枚葉紙群Ｗは、リフターＲ上に配置されており、第三方向での位置を変更可能になっている。
【００７１】
枚葉紙搬送装置１は、積み上げられた枚葉紙（以下、枚葉紙群とする）Ｗの上部側から一束の枚葉紙Ｔを取り出す取出作業を行う場合、図８（ａ）に示すように、枚葉紙群Ｗと一束の枚葉紙Ｔとの間に隙間が形成される。
【００７２】
そして、第一送風機６０からの風が搬送板本体２０の第一面に導出され、第二送風機６１からの風が搬送板本体２０の第二面に導出されている状態で、図８（ｂ）に示すように、枚葉紙搬送板２を第一方向で移動させる。このようにして、枚葉紙群Ｗと一束の枚葉紙Ｔとの間に搬送板本体２０が差し込まれる。このとき、搬送板本体２０の第一面と一束の枚葉紙Ｔとが接触する面積、及び搬送板本体２０の第二面と枚葉紙群Ｗとが接触する面積のそれぞれが小さくなる。すなわち、搬送板本体２０の第一面と一束の枚葉紙Ｔとの摩擦抵抗、及び搬送板本体２０の第二面と枚葉紙群Ｗとの摩擦抵抗が小さくなる。
【００７３】
そのため、枚葉紙搬送装置１は、枚葉紙群Ｗに荷重を作用させた状態の搬送板本体２を枚葉紙群Ｗと一束の枚葉紙Ｔとの間に差し込む。すなわち、搬送板本体２０は、枚葉紙群Ｗに支持されながら、該枚葉紙群Ｗと一束の枚葉紙Ｔとの間に差し込まれる。
【００７４】
このようにした後に、搬送板本体２０の第一面上の一束の枚葉紙Ｔを別の場所に移動させる。そして、搬送板本体２０を移動させて枚葉紙群Ｗ上から退避させる。搬送板本体２０は、枚葉紙群Ｗ上から退避させる場合においても、枚葉紙群Ｗに支持されながら移動する。
【００７５】
続いて、枚葉紙群Ｗの上に一束の枚葉紙Ｔを積み重ねる積上作業を行う場合の枚葉紙搬送装置１の動作説明を行う。枚葉紙搬送装置１は、積上作業を行う場合、第一送風機６０からの風が搬送板本体２０の第一面に導出され、第二送風機６１からの風が搬送板本体２０の第二面に導出されている状態で、図９（ａ）に示すように、枚葉紙搬送板２を枚葉紙群Ｗ上に移動させる。このとき、枚葉紙搬送装置１は、枚葉紙群Ｗに荷重を作用させた状態の枚葉紙搬送板２を移動させる。すなわち、搬送板本体２０は、枚葉紙群Ｗに支持されながら移動する。
【００７６】
そして、一束の枚葉紙Ｔをスライドさせて、図９（ｂ）に示すように、搬送板本体２０の第一面上に移動させる。このとき、ストッパーＳを搬送板本体２０上に移動させておけば、搬送板本体２０の第一面上にスライドさせた一束の枚葉紙ＴがストッパーＳの第一当接面Ｓ１００、及びストッパーＳの第二当接面Ｓ１１０に当接する。このように、枚葉紙搬送装置１では、ストッパーＳの位置を調整することで、搬送板本体２０の第一面上に移動させた一束の枚葉紙Ｔを所望の位置で位置決めすることができる。
【００７７】
そして、図９（ｃ）に示すように、搬送板本体２０を第一方向で再び移動させて、一束の枚葉紙Ｔと枚葉紙群Ｗとの間から枚葉紙搬送板２を引き抜く。この場合においても、搬送板本体２０は、枚葉紙群Ｗに支持されながら一束の枚葉紙Ｔと枚葉紙群Ｗとの間から引き抜かれる。
【００７８】
以上のように、枚葉紙搬送装置１によれば、枚葉紙搬送板２が搬送板本体２０の第一面に加えて搬送板本体２０の第二面からも送風を行うことができるようになっている。そのため、搬送板本体２０と枚葉紙群Ｗとの間に所定の間隔をあけていなくても、該搬送板本体２０を該枚葉紙群Ｗに対して相対的に移動させることができるという優れた効果を奏し得る。
【００７９】
また、枚葉紙搬送装置１では、枚葉紙搬送板２の第一端が枚葉紙搬送板２の第二端に対して交差する方向に延びているため、取出作業において、枚葉紙群Ｗと一束の枚葉紙Ｔとの間の隙間には、枚葉紙搬送板２の第一端の一部から差し込まれることになる。そのため、枚葉紙搬送装置１では、枚葉紙群Ｗと一束の枚葉紙Ｔとの間に部分的に隙間を形成しておくことで、該隙間に枚葉紙搬送板２を差し込むことができる。なお、取出作業において枚葉紙群Ｗと一束の枚葉紙Ｔとの間に隙間を形成するには、一束の枚葉紙Ｔを把持して持ち上げたり、枚葉紙群Ｗと一束の枚葉紙Ｔとの間に板状のスペーサーを予め差し込んだりする方法を採用し得る。
【００８０】
そして、枚葉紙搬送装置１では、搬送板本体２０が一対の配置板部４５０，４５０上に配置されているため、枚葉紙群Ｗと一束の枚葉紙Ｔとの状態に応じて、搬送板本体２０が変形できるようになっている。そのため、枚葉紙搬送装置１では、枚葉紙群Ｗに対する搬送板本体２０の差し込みをより簡単に行うことができる。
【００８１】
さらに、枚葉紙搬送装置１では、枚葉紙搬送板２が第一送風経路２３０と、第二送風経路２３１とを備えているため、搬送板本体２０の第一面及び搬送板本体２０の第二面の少なくとも何れか一方から送風を行うことができる。すなわち、枚葉紙搬送板２は、搬送板本体２０の第一面及び搬送板本体２０の第二面から送風を行っている状態と、搬送板本体２０の第一面又は搬送板本体２０の第二面の何れか一方から送風を行っている状態とに切り替えることができる。
【００８２】
そのため、枚葉紙搬送装置１では、搬送板本体２０が枚葉紙群Ｗ上に移動している状態において、搬送板本体２０の第二面のみから送風している状態にすると（搬送板本体２０の第一面からの送風を停止させると）、搬送板本体２０の第一面上の枚葉紙をスライド可能な状態にしつつ、枚葉紙搬送板２を枚葉紙群Ｗ上により確実に固定することができる。また、搬送板本体２０の第一面からの送風を停止すれば、搬送板本体２０の第一面上の枚葉紙の位置を固定することができる。
【００８３】
また、枚葉紙搬送装置１において、枚葉紙搬送板２では、一組の第一送風孔２１１，２１１のそれぞれは、隣り合う一組の第一送風孔２１１，２１１のそれぞれに対して枚葉紙搬送板２の第一方向で位置ずれし、一組の第二送風孔２２１，２２１のそれぞれが隣り合う一組の第二送風孔２２１，２２１のそれぞれに対して枚葉紙搬送板２の第一方向で位置ずれしている。そのため、搬送板本体２０の第一面上及び搬送板本体２０の第二面上に対してより均一な量の風を送ることができる。従って、搬送板本体２０は、枚葉紙群Ｗ及び一束の枚葉紙Ｔに対する差し込みや、枚葉紙群Ｗと一束の枚葉紙Ｔとの間からの引き抜きが行われるにあたり、枚葉紙群Ｗ及び一束の枚葉紙Ｔに対してスムーズに相対移動できる。
【００８４】
上述のように、枚葉紙搬送装置１では、搬送板本体２０の第二面と枚葉紙群Ｗとの間に間隔をあけていなくても、取出作業や、積上作業を行うことができる。そのため、枚葉紙搬送装置１では、積上作業において一束の枚葉紙Ｔと枚葉紙群Ｗとの間から枚葉紙搬送板２を引き抜いたときに、枚葉紙群Ｗに対して一束の枚葉紙Ｔが位置ずれすることを防止できる。
【００８５】
なお、本実施形態に係る枚葉紙搬送装置１は、上記実施形態に限定されるものではなく、本発明の要旨を逸脱しない範囲において種々変更を加え得ることは勿論である。
【００８６】
上記実施形態において、枚葉紙搬送装置１は、駆動力伝達機構５を備えていたが、これに限定されるものではなく、作業者が直接枚葉紙搬送板２を移動させるようになっていてもよい。
【００８７】
また、上記実施形態において、特に言及しなかったが、第一外板２１０、及び第二外板２２０は、枚葉紙群Ｗ及び一束の枚葉紙Ｔに対して静電気を発生させにくい材料（例えば、アルミ）で形成されていることが好ましい。
【００８８】
また、上記実施形態において、特に言及しなかったが、搬送板本体２０は、面直交方向（厚み方向）で可撓性を有するようにすることが好ましい。このようにすれば、枚葉紙群Ｗや、一束の枚葉紙Ｔの状態に応じて搬送板本体２０が変形するため、枚葉紙搬送板２を枚葉紙群Ｗ及び一束の枚葉紙Ｔに対してスムーズに相対移動させることができる。さらに、枚葉紙搬送装置１においては、枚葉紙搬送板２が一対の配置板部４５０，４５０上に載置されているため、搬送板本体２０の変形（厚み方向での変形）が妨げられないようになっている。これにより、枚葉紙搬送装置１は、枚葉紙搬送板２を枚葉紙群Ｗ及び一束の枚葉紙Ｔに対してスムーズに相対移動させることができるようになっている。
【００８９】
また、上記実施形態において、第一外板２１０における複数の第一送風路２０１，２０１…と対応する位置のそれぞれには、一対一組の第一送風孔２１１，２１１が設けられていたが、これに限定されるものではなく、第一外板２１０における複数の第一送風路２０１，２０１…と対応する位置のそれぞれに対して一つの第一送風孔２１１を設けたり、第一外板２１０における複数の第一送風路２０１，２０１…と対応する位置のそれぞれに対して二つ以上の第一送風孔２１１，２１１を一組として第一外板２１０に設けるようにしてもよい。
【００９０】
また、上記実施形態において、第二外板２２０における複数の第二送風路２０２，２０２…と対応する位置のそれぞれには、一対一組の第二送風孔２２１，２２１が設けられていたが、これに限定されるものではなく、第二外板２２０における複数の第二送風路２０２，２０２…と対応する位置のそれぞれに対して一つの第二送風孔２２１を設けたり、第二外板２２０における複数の第二送風路２０２，２０２…と対応する位置のそれぞれに対して二つ以上の第二送風孔２２１，２２１を一組として第二外板２２０に設けるようにしてもよい。
【００９１】
また、上記実施形態において、枚葉紙群Ｗは、リフターＲ上に配置されていたが、これに限定されるものではなく、枚葉紙群Ｗは、リフターＲ上に配置されていなくてもよい。また、図８（ａ）、図８（ｂ）、図９（ａ）、図９（ｂ）、図９（ｃ）において図示されているリフターＲは、概念的に図示したものである。
【００９２】
また、上記実施形態において、ベルト部材５３の第一端とベルト部材５３の第二端とは、連結板４４に接続されていたが、これに限定されるものではなく、例えば、ベルト部材５３の第一端とベルト部材５３の第二端とが直接的に接続されていてもよい。
【符号の説明】
【００９３】
１…枚葉紙搬送装置、２…枚葉紙搬送板、３…ベース、４…案内機構、５…駆動力伝達機構、６…送風機、２０…搬送板本体、２３…送風経路、３０…アッパーフレーム、３１…アンダーフレーム、３２…ミドルフレーム、３３…サブフレーム、３４…脚部材、４０…第一ガイドレール、４１…第一ガイド部材、４２…第二ガイドレール、４３…第二ガイド部材、４４…連結板、４５…配置部材、５０…駆動源、５１…第一プーリー、５２…第二プーリー、５３…ベルト部材、６０…第一送風機、６１…第二送風機、２００…中板、２０１…第一送風路、２０２…第二送風路、２１０…第一外板、２１１…第一送風孔、２２０…第二外板、２２１…第二送風孔、２２２…第一流入孔、２２３…第二流入孔、２３０…第一送風経路、２３０ａ…第一接続部、２３０ｂ…開口部、２３０ｃ…第一接続孔、２３１…第二送風経路、２３１ａ…第二接続部、２３１ｂ…開口部、２３１ｃ…第二接続孔、３１０…ねじ穴、３４０…支軸部、３４１…脚部本体、４１０…嵌合溝、４２０…レール溝、４３０…嵌合部、４５０…配置板部、４５１…位置ずれ防止用板部、６００…第一送風管、６１０…第二送風管Ｃ…配線系、ＣＰ…操作部、Ｋ…保持機構、Ｋ１…ドライブチェーン、Ｋ２…受部材、Ｓ…ストッパー、Ｓ１…壁部材、Ｓ１０…第一壁部、Ｓ１００…第一当接面、Ｓ１０１…取付面、Ｓ１０２…取付部材、Ｓ１１…第二壁部、Ｓ１１０…第二当接面、Ｓ２…位置決機構、Ｓ２０…スライドバー、Ｓ２０…第一スライドバー、Ｓ２１…第二スライドバー、Ｓ２２…第一クランプ、Ｓ２３…第二クランプ、Ｔ…枚葉紙、Ｗ…枚葉紙群
【図１】
2013216431.tif 000003
【図２】
2013216431.tif 000004
【図３】
2013216431.tif 000005
【図４】
2013216431.tif 000006
【図５】
2013216431.tif 000007
【図６】
2013216431.tif 000008
【図７】
2013216431.tif 000009
【図８】
2013216431.tif 000010
【図９】
2013216431.tif 000011
【図１０】
2013216431.tif 000012
【図１１】
2013216431.tif 000013
【図１２】
2013216431.tif 000014